(57)【要約】【課題】ホールド型表示方法及びパルス幅変調型表示方法の画像表示装置では、動画を見た際の画像の表示位置と視点の動きのずれにより、動画ぼやけ等の画質劣化が発生する。【解決手段】外部より受信した画像信号のフレーム周波数は２倍に高められる。受信画像の１フレーム期間に、第１番目に出力される画像信号Ｃは第１階調補正部８により中間階調が明るく補正され、その高周波成分が補正量生成部１０により検出され、加算器１１は画像信号Ｅに高周波補正量Ｇを加算する。他方で、画像信号Ｃは第２階調補正部９により中間階調が暗く補正され、減算器１２は画像信号Ｆより高周波補正量Ｇを減算する。選択部１３は画像信号Ｈを画像表示信号Ｄとして選択する。上記１フレーム期間中に１／２フレーム分遅延して第２番目に出力される画像信号Ｃに関しては、選択部１３は画像信号Ｉを画像表示信号Ｄとして選択する。【選択図】図２
2009053221.tif 000002
【特許請求の範囲】
【請求項１】
受信した画像信号のフレーム周波数をｋ倍（ｋは２以上の自然数）に高めて、前記受信画像信号の１フレーム期間中に、前記受信画像信号をｋ回分出力するフレーム周波数変換部と、
前記受信画像信号の前記１フレーム期間中に、前記フレーム周波数変換部より出力されるｋ回分の画像信号の各々毎に、互いに相違する階調特性に基づく階調補正を順次に行う階調処理部と、
前記受信画像信号の前記１フレーム期間中に、前記階調処理部から順次に出力される階調補正済みのｋ回分の画像信号を表示する画像表示部とを備えたことを特徴とする、
画像表示装置。
【請求項２】
請求項１記載の画像表示装置であって、
前記階調処理部は、
前記受信画像信号の前記１フレーム期間中に、前記フレーム周波数変換部より出力される前記ｋ回分の画像信号の各々に対して前記階調補正を順次に行う階調補正部と、
前記階調補正部から順次に出力されるｋ回分の前記階調補正済み画像信号の各々に対して当該階調補正済み画像信号に適合する高周波成分補正を行って前記画像表示部に順次に出力する高周波補正部とを備えることを特徴とする、
画像表示装置。
【請求項３】
請求項２記載の画像表示装置であって、
前記ｋは２であり、
前記階調補正部は、
前記フレーム周波数変換部より出力される第１番目の画像信号に対しては、その中間階調を前記受信画像信号の中間階調よりも明るく補正する一方、
前記第１番目の画像信号の出力に引き続いて前記受信画像信号の前記１フレーム期間中に前記フレーム周波数変換部より出力される第２番目の画像信号に対しては、その中間階調を前記受信画像信号の中間階調よりも暗く補正することを特徴とする、
画像表示装置。
【請求項４】
請求項３記載の画像表示装置であって、
前記高周波補正部は、
前記階調補正部より出力される階調補正された第１番目の画像信号の高周波成分から高周波補正量を決定し、前記階調補正された第１番目の画像信号に対しては前記高周波補正量を加算することで前記高周波成分補正を実行する一方、
前記階調補正された第１番目の画像信号に引き続いて前記階調補正部より出力される階調補正された第２番目の画像信号に対しては前記高周波補正量を減算することで前記高周波成分補正を実行することを特徴とする、
画像表示装置。
【請求項５】
請求項４記載の画像表示装置であって、
前記高周波補正部は、前記高周波補正量の決定後に前記高周波補正量に含まれる負の値を０に制限した上で、制限後の高周波補正量を前記階調補正された第１番目の画像信号に対しては加算する一方、前記制限後の高周波補正量を前記階調補正された第２番目の画像信号に対しては減算することを特徴とする、
画像表示装置。
【請求項６】
請求項３記載の画像表示装置であって、
前記高周波補正部は、
前記階調補正部より出力される階調補正された第１番目の画像信号の高周波成分から第１高周波補正量を決定し、前記階調補正された第１番目の画像信号に対しては前記第１高周波補正量を加算することで前記高周波成分補正を実行する一方、
前記階調補正された第１番目の画像信号に引き続いて前記階調補正部より出力される階調補正された第２番目の画像信号の高周波成分から第２高周波補正量を決定し、前記階調補正された第２番目の画像信号に対しては前記第２高周波補正量を減算することで前記高周波成分補正を実行することを特徴とする、
画像表示装置。
【請求項７】
請求項６記載の画像表示装置であって、
前記高周波補正部は、
前記第１高周波補正量の決定後に前記第１高周波補正量に含まれる負の値を０に制限した上で、制限後の第１高周波補正量を前記階調補正された第１番目の画像信号に対して加算する一方、
前記第２高周波補正量の決定後に前記第２高周波補正量に含まれる負の値を０に制限した上で、制限後の第２高周波補正量を前記階調補正された第２番目の画像信号に対して減算することを特徴とする、
画像表示装置。
【請求項８】
請求項１記載の画像表示装置であって、
前記受信画像信号の前記１フレーム期間毎に、当該受信画像信号が動画像信号であるか否かを判定する動画判定部を更に備えており、
前記動画判定部が、当該受信画像信号が静止画像信号であることを示す判定結果信号を前記階調処理部に出力するときには、
前記階調処理部は、当該受信画像信号の前記１フレーム期間中に、前記フレーム周波数変換部より出力される前記ｋ回分の画像信号の各々に対して前記階調補正を行うことなく前記ｋ回分の画像信号の各々をそのまま前記画像表示部に出力することを特徴とする、
画像表示装置。
【請求項９】
請求項８記載の画像表示装置であって、
前記動画判定部は、当該受信画像信号の一部の情報に基づいて当該受信画像信号が前記動画像信号であるか否かを判定することを特徴とする、
画像表示装置。
【請求項１０】
受信した画像信号のフレーム周波数をｋ倍（ｋは２以上の自然数）に高めて、前記受信画像信号の１フレーム期間中に、前記受信画像信号をｋ回分出力するフレーム周波数変換工程と、
前記受信画像信号の前記１フレーム期間中に、前記ｋ回分の画像信号の各々毎に、互いに相違する階調特性に基づく階調補正を順次に行う階調処理工程と、
前記受信画像信号の前記１フレーム期間中に、階調補正済みのｋ回分の画像信号を順次に表示する画像表示工程とを備えたことを特徴とする、
画像表示方法。
【請求項１１】
請求項１０記載の画像表示方法であって、
前記階調処理工程は、
前記受信画像信号の前記１フレーム期間中に、前記ｋ回分の画像信号の各々に対して前記階調補正を順次に行う階調補正工程と、
ｋ回分の階調補正済み画像信号の各々に対して当該階調補正済み画像信号に適合する高周波成分補正を行って順次に出力する高周波補正工程とを備えることを特徴とする、
画像表示方法。
【発明の詳細な説明】
【技術分野】
【０００１】
この発明は、フリッカーの発生を抑えつつ動画像のぼやけを改善するための画像表示技術に関する。
【背景技術】
【０００２】
ＬＣＤ（液晶ディスプレイ）、ＰＤＰ（プラズマディスプレイパネル）、ＥＬ（エレクトロルミネッセンス）、又はＤＭＤ（デジタルミラーデバイス）等の様にミラーの反射又は光学的な干渉によって離散的に配置されたマトリクス状の画素の画像信号を変調して画像を表示する表示デバイスは、薄型テレビ、プロジェクションテレビの他、プロジェクター及びコンピュータ用のモニター等、様々な画像表示装置に用いられている。
【０００３】
従来から用いられていたＣＲＴ方式の画像表示装置は、インパルス型の表示方法を用いた画像表示装置として知られており、動画像の表示特性に優れている一方で、フリッカーが発生すると言う問題点を有していた。
【０００４】
このＣＲＴに対して、ＬＣＤ又はＥＬディスプレイは、ホールド型表示方式のディスプレイとして呼ばれており、その表示方式に起因する動画像のぼやけが発生すると言う問題点を有している。
【０００５】
又、ＰＤＰ又はＤＭＤはパルス幅変調型の表示方式を用いたディスプレイとして知られているが、このパルス幅変調方式も、ホールド期間を有しているため、動画像のぼやけを生じさせる。
【０００６】
このような背景の中、ホールド型表示方式に起因する動画像のぼやけを改善するために、ホールド時間を短くする方法が、特許文献１及び特許文献２に提案されている。
【０００７】
【特許文献１】特開２００５−９１４５４号公報（段落００２８、図２）
【特許文献２】特開２００６−３４３７０６号公報（段落００５９、図１１）
【発明の開示】
【発明が解決しようとする課題】
【０００８】
確かに、特許文献１及び２に開示されている技術により、動画像のぼやけを改善することが出来る。しかしながら、特許文献１及び２の各々の技術には、以下に記載する課題を有している。
【０００９】
即ち、特許文献１に記載された、補間フレームを生成して高い周波数で画像を表示することでホールド時間を短くする方法は、補間フレームという受信を、或いは、蓄積されていない画像データを生成することになり、動きベクトル等で画像データを予測する際に、その予測を正確に行うためには回路規模が増大することになると言う問題点を内包している。逆に、回路規模の削減化は、補間エラーを発生させて、動画像のぼやけの改善以前に著しい画質の劣化を生じさせてしまう。
【００１０】
他方、特許文献２によれば、１フレームの期間を複数のサブフレーム（例えば２サブフレーム）で構成して、第一のサブフレームを元の画像よりも明るく表示し、第二のサブフレームを元の画像よりも暗く表示する方法によって、例えば画像データが２５６階調で構成されている場合には、０階調から１２８階調までは、第一のサブフレームを２倍の階調で表示し、第二のサブフレームを０階調とすることで、ホールド時間を半分にすることが出来る。しかし、上記階調の範囲では、明るい画像と黒の画像とが交互に表示されるため、フリッカーが検知されることになる。特に、第一のサブフレームと第二のサブフレームとの階調差が大きな場合には、フリッカーが検知され易くなる。逆に、このフリッカーを抑えるために第一のサブフレームと第二のサブフレームとの階調差を小さく設定する場合には、動画像のぼやけの改善効果が少なくなると言う問題点がある。
【００１１】
本発明は上記の技術状況に鑑みて成されたものであり、その目的は、フリッカーの発生を抑えるために複数のサブフレームの階調差を小さくした場合であっても、動画像のぼやけを改善することが可能な画像表示技術を提供することにある。
【課題を解決するための手段】
【００１２】
本発明の主題に係る画像表示装置は、受信した画像信号のフレーム周波数をｋ倍（ｋは２以上の自然数）に高めて、前記受信画像信号の１フレーム期間中に、前記受信画像信号をｋ回分出力するフレーム周波数変換部と、前記受信画像信号の前記１フレーム期間中に、前記フレーム周波数変換部より出力されるｋ回分の画像信号の各々毎に、互いに相違する階調特性に基づく階調補正を順次に行う階調処理部と、前記受信画像信号の前記１フレーム期間中に、前記階調処理部から順次に出力される階調補正済みのｋ回分の画像信号を表示する画像表示部とを備えたことを特徴とする。
【００１３】
以下、この発明の主題の様々な具体化を、添付図面を基に、その効果・利点と共に、詳述する。
【発明の効果】
【００１４】
本発明の主題によれば、動画像のぼやけを改善することが出来る。
【００１５】
特に高周波成分補正を行う場合には、フリッカーの発生を抑えると共に、動画像のぼやけを改善することが出来る。
【発明を実施するための最良の形態】
【００１６】
（実施の形態１）
図１は、本実施の形態に係る画像表示装置の構成を模式的に示すブロック図である。図１には、画像表示装置７の他に、画像表示装置７の外部に配置されて、画像表示装置７に表示する画像を発生する画像発生部（例えばＶＴＲやＤＶＤレコーダ）１が記載されている。画像発生部１は、画像表示装置７に対して、電気的に接続されたケーブル上にアナログ又はデジタルの画像信号（時間及び空間に関して離散したデータで構成される画像信号）Ａを出力することで、画像信号Ａを伝送する。或いは、画像発生部１は、無線電波又は光通信を用いて画像信号Ａを画像表示装置７に伝送する。又、画像信号Ａに含まれて或いは画像信号Ａと共に、水平同期信号及び垂直同期信号（図示せず。）も、画像発生部１から画像表示装置７へ送信されている。尚、図１は、後述する実施の形態１、２及び３に於いても援用される。
【００１７】
画像発生部１が出力した画像信号Ａは、画像表示装置７の画像受信部２に入力される。画像受信部２は、受信した画像信号Ａを、以降の処理で用いられる画像データＢに変換する。例えば、画像信号Ａがアナログ信号の場合には、画像受信部２はアナログ−デジタル変換を行う一方、画像信号Ａがシリアルのデジタル画像信号の場合には、画像受信部２はシリアル−パラレル変換を行って、伝送方式に合わせた処理を行う。又、受信した画像信号Ａが輝度と色度とで表されている場合には、画像受信部２は、赤、緑、青等の色信号で構成される画像信号Ｂへの変換を行っても良い。
【００１８】
画像受信部２から出力された画像信号Ｂは、フレーム周波数変換部３に入力される。フレーム周波数変換部３は、フレームメモリ４を用いて、画像信号Ｂから２倍のフレーム周波数を有する画像信号Ｃを生成し出力する。ここで、フレームメモリ４は、少なくとも２フレーム分の画像データを記憶可能な容量を有する。フレーム周波数変換部３は、このフレームメモリ４に対して画像受信部２から入力された画像信号Ｂを記憶する一方で、その１フレーム前のフレームメモリ４に記憶されている１フレーム分の画像信号を２倍のフレーム周波数で２回分読み出して、読み出した２回分の上記１フレーム分の画像信号を画像信号Ｃとして階調処理部５に出力する。
【００１９】
フレーム周波数変換部３から出力された画像信号Ｃは、階調処理部５に入力される。階調処理部５は、フレーム周波数変換部３でフレームメモリ４から２回分読み出された２つの画像信号（同一の画像信号）の内で、１回目に読み出された画像信号と２回目に読み出された同一の画像信号とに対して互いに異なる階調処理を施し、階調処理された後の画像信号Ｄを画像表示部６に出力する。
【００２０】
画像表示部６は、階調処理部５より送信されて来る画像信号Ｄを順次に表示する。
【００２１】
図２は、階調処理部５のより詳細な構成を示すブロック図である。図２に於いて、フレーム周波数変換部３より送信されて来た画像信号Ｃは、前述の通り、同じフレームに属する２つの同一の画像信号であり、当該２つの画像信号は、画像信号Ｂのフレーム周波数の２倍のフレーム周波数で以って、階調処理部５に入力される。そして、当該２つの画像信号Ｃのそれぞれは、共に、第１階調補正部８と第２階調補正部９とに入力される。
【００２２】
第１及び第２階調補正部８、９は、例えばルックアップテーブル又は予め決められた演算式に基づいて、それぞれ、互いに異なる階調特性を有する階調補正を行い、第１階調補正部８から画像信号Ｅが、第２階調補正部９から画像信号Ｆが、それぞれ出力される。
【００２３】
ここで、図３は、第１及び第２階調補正部８、９のそれぞれの階調補正特性の一例を示す図である。図３の横軸が入力画像信号の階調を示し、縦軸が出力画像信号の階調を示す。図３に於いて、第１階調補正部８が有する第１階調補正特性は第１ルックアップテーブルＬＵＴ１の特性（特に中間の階調での明るさが元の画像の明るさよりも明るい。）に該当し、第２階調補正部９が有する第２階調補正特性は第２ルックアップテーブルＬＵＴ２が示す特性（特に中間の階調での明るさが元の画像の明るさよりも暗い。）に該当する。図３に示す通り、第１ルックアップテーブルＬＵＴ１を用いた場合には、中間の階調が元の画像の階調よりも明るく補正される。他方、第２ルックアップテーブルＬＵＴ２を用いた場合には、中間の階調が元の画像の階調よりも暗く補正される。理想的には、ある入力階調Ｃ（ｔ）に対して、第１ルックアップテーブルＬＵＴ１の出力階調Ｅ（ｔ）と第２ルックアップテーブルＬＵＴ２の出力階調Ｆ（ｔ）との平均値が当該入力階調Ｃ（ｔ）の明るさと同じになる様に、階調補正を行う。
【００２４】
第１階調補正部８から出力された画像信号Ｅは、高周波補正量生成部１０及び加算器１１に入力される。
【００２５】
図４は、図２の高周波補正量生成部１０の構成例を示すブロック図である。第１階調補正部８より出力された画像信号Ｅは、高周波補正量生成部１０内の高周波成分検出部１４に入力される。高周波成分検出部１４は、例えば２次微分で表される様なデジタルフィルタを用いて構成されている。そして、高周波成分検出部１４は、入力された画像信号Ｅから、その高周波成分Ｊを検出して、検出した高周波成分Ｊを強調量生成部１５に出力する。強調量生成部１５は、外部から入力される制御信号ＥＮＨに基づいて、高周波成分Ｊの強度を制御して、高周波補正量Ｇを生成・出力する。
【００２６】
図５（ａ）、図５（ｂ）及び図５（ｃ）は、高周波補正量生成部１０の動作を説明するための図である。それらの内、図５（ａ）は、画像信号Ｅの画素位置と当該画像信号Ｅの階調との関係を示す図である。又、図５（ｂ）は、高周波成分検出部１４が出力する画像信号Ｅの高周波成分Ｊと画像信号Ｅの画素位置との関係を示す図である。図５（ａ）と図５（ｂ）との比較から理解される様に、画像信号Ｅの階調が変化する前後で、高周波成分Ｊに関して正と負の出力が現れている。又、図５（ｃ）は、強調量生成部１５が出力する高周波補正量Ｇと画像信号Ｅの画素位置との関係を示すと共に、高周波補正量Ｇと制御信号ＥＮＨとの関係をも示す図である。図５（ｃ）に示されている様に、強調量生成部１５は、高周波補正量Ｇの波形の高さを、制御信号ＥＮＨの値に応じて増減することが出来る。強調量生成部１５より出力された高周波補正量Ｇは、図２の加算器１１と減算器１２とに入力される。
【００２７】
加算器１１は、第１階調補正部８が出力した画像信号Ｅに高周波補正量Ｇを加算し、その加算結果を第１画像信号Ｈとして画像選択部１３に出力する。又、減算器１２は、第２階調補正部９が出力した画像信号Ｆから高周波補正量Ｇを減算し、その減算結果を第２画像信号Ｉとして画像選択部１３に出力する。ここで、加算器１１の加算結果及び減算器１２の減算結果が画像信号Ｃの取り得る範囲（例えば、２５６階調の場合には０〜２５５の値）を超える場合には、その取り得る範囲内に収まる様に、加算器１１の加算結果及び減算器１２の減算結果を制限することとしても良い。
【００２８】
図６（ａ）、図６（ｂ１）、図６（ｂ２）、図６（ｃ）、図６（ｄ１）、図６（ｄ２）、図６（ｅ１）及び図６（ｅ２）は、階調処理部５によって、画像信号Ｃから第１画像信号Ｈ及び第２画像信号Ｉが生成されるまでの流れを説明するための図である。図６（ａ）に示す、フレーム周波数変換部３（図１）から出力された各画素位置に於ける画像信号Ｃは、一方では、第１階調補正部８によって、図６（ｂ１）に示す階調特性に変換されて、画像信号Ｅとして高周波補正量生成部１０及び加算器１１（図２）に出力される。他方で、画像信号Ｃは、第２階調補正部９によって、図６（ｂ２）に示す階調特性に変換されて、画像信号Ｆとして減算器１２（図２）に出力される。図６（ｃ）は、図４の高周波成分検出部１４が出力した高周波成分Ｊを示しており、高周波成分検出部１４は、画像信号Ｅの階調の変化部分より、高周波成分Ｊを検出する。図６（ｄ１）及び図６（ｄ２）は、図４の強調量生成部１５が出力した高周波補正量Ｇを示す図であり、ここでは、強調量生成部１５は、制御信号ＥＮＨの値に応じて、その出力値である高周波補正量Ｇが検出した高周波成分Ｊよりも小さくなる様に、高周波成分Ｊを制御している。図６（ｅ１）は、図２の加算器１１が画像信号Ｅと高周波補正量Ｇとを加算した結果である第１画像信号Ｈを、階調補正前の画像信号Ｃ（破線で示されている。）との比較で以って示す図である。又、図６（ｅ２）は、図２の減算器１２が画像信号Ｆから高周波補正量Ｇを減算した結果である第２画像信号Ｉを、階調補正前の画像信号Ｃ（破線で示されている。）との比較で以って示す図である。ここでは、第１画像信号Ｈは階調補正前の画像信号Ｃよりも中間調以上に於いて明るく補正されている一方、第２画像信号Ｉは階調補正前の画像信号Ｃよりも中間調以上に於いて暗く補正されているが、この２つの画像信号Ｈ，Ｉを重ね合わせると、その明るさは、元の画像信号Ｃと同じ明るさになる。
【００２９】
図７は、フレーム周波数変換部３に入力された画像信号Ｂと、画像表示部６に入力される画像信号Ｄとの関係を示した図である。フレーム周波数変換部３は、入力された１フレーム分の画像信号Ｂから２フレーム分の画像信号Ｃを生成する。例えば、フレーム周波数変換部３は、１フレーム分の画像信号Ｂ（ｔ）から、出力画像のフレーム周波数を入力画像信号Ｂ（ｔ）のフレーム周波数の２倍に設定することで、１フレーム分の画像信号Ｃ（ｔ）及び１フレーム分の画像信号Ｃ（ｔ＋０．５）を生成するものとすると、画像信号Ｃ（ｔ）と画像信号Ｃ（ｔ＋０．５）とは、画像信号Ｂ（ｔ）の１フレームの期間内に、２フレームの画像信号として出力される。ここで、画像信号Ｃ（ｔ）と画像信号Ｃ（ｔ＋０．５）とは、互いに、同じ画素位置に於ける同一の画像を表わす信号であり、画像信号Ｃ（ｔ）は画像信号Ｂ（ｔ）の出力タイミングと同じタイミングでその出力を開始するが、他方の画像信号Ｃ（ｔ＋０．５）は、画像信号Ｃ（ｔ）の出力開始タイミングから、画像信号Ｂ（ｔ）の１フレームの時間に対して１／２フレームの時間だけシフトしたタイミングに於いて、その出力を開始する。そして、フレーム周波数変換部３から出力された画像信号Ｃ（ｔ）は、一方では、第１階調補正部８、高周波補正量生成部１０及び加算器１１による第１階調処理を施され、他方では、第２階調補正部９及び減算器１２による第２階調処理を施されて、第１画像信号Ｈ（ｔ）及び第２画像信号Ｉ（ｔ）が得られる。更に、その後に上記出力タイミングでフレーム周波数変換部３から遅れて出力される画像信号Ｃ（ｔ＋０．５）も、一方では、第１階調補正部８、高周波補正量生成部１０及び加算器１１による第１階調処理を施され、他方では、第２階調補正部９及び減算器１２による第２階調処理を施されて、第１画像信号Ｈ（ｔ＋０．５）及び第２画像信号Ｉ（ｔ＋０．５）が得られる。
【００３０】
そして、図２の画像選択部１３は、画像信号Ｃ（ｔ）に対応する画像信号として、第１画像信号Ｈ（ｔ）を選択し、画像信号Ｃ（ｔ＋０．５）に対応する画像信号として、第２画像信号Ｉ（ｔ＋０．５）を選択する。その結果、第１画像信号Ｈ（ｔ）は、画像信号Ｄ（ｔ）として、第２画像信号Ｉ（ｔ＋０．５）は、画像信号Ｄ（ｔ＋０．５）として、それぞれ画像表示部６に出力される。尚、画像選択部１３は、周知のセレクタより成り、そのセレクト信号ＳＬは、例えば画像表示装置７の各構成要素の同期処理を制御するコントローラＣＴ（図１）によって生成・出力される、画像信号Ａに含まれる又は画像信号Ａと共に送信される垂直同期信号（図示せず。）の周波数を２倍して得られるクロックより成る。
【００３１】
図８（ａ）及び図８（ｂ）は、ホールド型表示デバイスに於いて動画ぼやけが視認される原理を説明する図である。
【００３２】
その内で、図８（ａ）は、ホールド型表示デバイスのディスプレイ面に於いて、黒い背景の上を左から右に向かって白い物体（数画素の集合体）が移動する画像を表示した場合の、白い物体の表示位置と時間との関係を示す図である。図８（ａ）の横軸は表示デバイスのディスプレイ面上の水平位置を、その縦軸は時間を、各々示している。又、図８（ａ）中の実線は、当該白い物体（白い部分）の中心位置を示しており、１フレームの期間中、白い部分は同じ位置に表示され、１フレーム単位で、白い部分はコマ送りの様に移動する。又、図８（ａ）の破線は、視点を示しており、白い部分のコマ送りの時間がある程度早くなると（例えば１秒間に６０回コマ送りをする場合）、人間の目は実際の物が動いているかの様に白い部分を滑らかに追いかける様になる。
【００３３】
他方、図８（ｂ）は、人間の目の網膜上の水平位置を基準とした際の白い物体の画像の動きを表した図である。この様に、人間の目がホールド型表示デバイスの画面上に表示された等速で動く画像を追従視すると、網膜上では、白い物体の中心位置が左右に揺れて感知されることになる（この点はホールド型表示デバイスに特有の現象である）。この網膜上で画像が左右に揺れる現象は、この画像の強度の揺れが積分される結果、動画ぼやけとして、視認される。
【００３４】
図９（ａ）は、図８（ａ）に示した白い物体の画像が従来の画像表示装置の画面上に表示された際の、人間の目の網膜上の水平位置と白い物体の画像の明るさとの関係を、１フレームの期間内で示した図である。又、図９（ｂ）は、人間の目の網膜で視認される画像の明るさとして、時間軸に対して図９（ａ）の白い物体の画像の明るさを１フレームの期間に渡って積分して得られる結果を示している。ここで、図９（ａ）及び図９（ｂ）の横軸は共に人間の目の網膜上の水平位置を示している。図９（ｂ）の積分結果から理解される通り、本来ならば、ぼやけのない白い物体の画像が画面に表示されて人間の目の網膜によって当該ぼやけのない画像が視認される筈であるが、従来の画像表示装置による画像表示による限り、輪郭部分の明るさが水平位置に対して徐々に明るく、或いは、徐々に暗く変化することになり、この変化部分が動画ぼやけとして人間の目の網膜によって知覚される。
【００３５】
図１０（ａ）及び図１０（ｂ）は、本実施の形態に係る画像表示装置７によって既述した階調補正及び高周波成分補正から成る画像処理が施された後の白い物体の画像を、その画像表示部６に表示した際の画像を、それぞれ、図８（ａ）及び図８（ｂ）と同じ形式で以って表現した図である。尚、図１０（ａ）及び図１０（ｂ）中の白い物体の画像の輪郭部分に表示された破線ＡＰは、既述した階調補正及び高周波成分補正が施された部分を示している。本実施の形態に係る画像表示部６では、水平位置上の同じ位置に、第１画像信号Ｈ（ｔ）及び第２画像信号Ｉ（ｔ＋０．５）が共に表示されるが、既述した第１及び第２階調補正部８，９による階調補正により、その一方の画像信号Ｈ（ｔ）は全体的に明るく表示され、且つ、他方の画像信号Ｉ（ｔ＋０．５）は全体的に暗く表示される。しかも、白い物体の画像の輪郭部分に於いては、図６（ｅ１）及び図６（ｅ２）に示した既述の高周波補正によって、第１画像信号Ｈ（ｔ）の輪郭部分が、より明るく表示される一方、第２画像信号Ｉ（ｔ＋０，５）の輪郭部分が、より暗く表示される。
【００３６】
図１１（ａ）は、画像表示部６に表示された図１０（ａ）の画像の内で１フレーム期間当たりの白い物体の画像が人間の目の網膜上に結像される画像の明るさを、網膜の水平位置との関係で示した図である。又、図１１（ｂ）は、図９（ｂ）と同様に、図１１（ａ）に示される網膜上に結像される画像の明るさを時間軸に関して画像Ｂの１フレーム期間内で積分した結果を示す図である。図１１（ｂ）の横軸は、図９（ｂ）と同様に、網膜の水平位置を示す。
【００３７】
図１１（ａ）に示す様に、第１階調補正部８に於ける第１階調補正によって第１画像信号Ｈ（ｔ）が元の画像信号Ｃよりも明るく補正された結果と、第２階調補正部９に於ける第２階調補正によって第２画像信号Ｉ（ｔ+0.5）が元の画像信号Ｃよりも暗く補正された結果と、その他に、高周波補正による加算分及び高周波補正による減算分が存在する。これらの画像を合成した結果が、図１１（ｂ）に示されている。図１１（ｂ）の破線ＢＬは、高周波補正による加算分と高周波補正による減算分とを含まない合成結果であり、即ち、第１及び第２階調補正による結果のみを合成したものであり、この場合でも、従来（図９（ｂ）参照）に比べて、網膜で視認される明るさの左右両エッジの傾斜が急になり、ぼやけが改善されている様子を確認することが出来る。そして、図１１（ｂ）の実線ＳＬが、図１１（ｂ）の破線ＢＬに対して高周波補正による加算分及び高周波補正による減算分を更に合成して得られる結果を示している。実線ＳＬの形状より、高周波補正の付加によって、左右両エッジの傾斜が更に一層に急傾斜に成るので、より一層に動画ぼやけを改善することが出来る。しかも、実線ＳＬの両エッジには、オーバーシュートＯＳが付加された状態で画像の明るさが表示されるので、人の目の網膜により知覚される画像の鮮鋭度は更に高まる。換言すれば、第１階調補正による第１画像信号Ｈ（ｔ）の補正量及び第２階調補正による第２画像信号Ｉ（ｔ＋０．５）の補正量を共に少なく設定した上で既述した高周波補正を行うことにより、高周波補正を伴わない乃至は行わない図１１（ｂ）の破線ＢＬの場合に得られる動画ぼやけの改善程度と同程度の動画ぼやけの改善効果を得ることが出来ると共に、階調補正差を小さく設定出来る分だけ、階調補正に伴うフリッカーの発生を抑えることも出来ると言う利点が付加される。
【００３８】
以上に記載した様に、本実施の形態では、外部より入力された画像信号のフレーム周波数よりも２倍の高いフレーム周波数で２回分繰り返して１フレームの画像信号を表示するに際して、その１回目の画像信号を元の入力画像信号の階調値よりも明るく階調補正すると共に、第１階調補正後の画像信号に対して高周波補正量を加算して得られた第１画像信号を、入力画像信号の１フレーム期間の１／２の期間内で表示し、その２回目の画像信号を元の入力画像信号の階調値よりも暗く階調補正すると共に、第２階調補正後の画像信号に対して高周波補正量を減算して入力された第２画像信号を同様に入力画像信号の１フレーム期間の１／２の期間内で表示するので、少ない演算量で以って動画のぼやけを効果的に改善することが出来る。
【００３９】
特に、高周波成分の補正を行うことで、１回目と２回目の階調補正量を少なく設定しても動画ぼやけを改善することが可能に成るので、フリッカーの発生を抑えることが出来る。
【００４０】
（実施の形態２）
本実施の形態の中核は、高周波補正量生成部の改良にあるので、本実施の形態では図１及び図２を援用する。
【００４１】
図１２は、本実施の形態に係る画像表示装置７に用いられる高周波補正量生成部１０の別の構成を示すブロック図である。図１２の回路構成が図４のそれと異なる点は、高周波成分検出部１４の出力端と強調量生成部１５の入力端との間に負値制限部１６を追加し、高周波成分検出部１４から出力される高周波成分Ｊの負の値を制限する点にある。
【００４２】
図１３（ａ）、図１３（ｂ）、図１３（ｃ）及び図１３（ｄ）は、図１２に示された高周波補正量生成部１０の動作を記載するための図である。先ず、図１３（ａ）に示す画像信号Ｅは、デジタルフィルタ等より構成される高周波成分検出部１４に入力され、その結果、図１３（ｂ）に示す様な高周波成分Ｊが検出される。高周波成分Ｊは、負値制限部１６に入力され、図１３（ｃ）に示す様に、高周波成分Ｊの負の値が０に制限される。負の値が制限された高周波成分Ｋは、強調量生成部１５に入力され、図１３（ｄ）に示す様に、高周波成分Ｋの強度が外部より入力される制御信号ＥＮＨによって調整される。
【００４３】
強調量調整部１５から出力された高周波補正量Ｇは、図２の加算器１１と減算器１２とに入力され、それ以降の画像処理は、既述した実施の形態１の動作と同様に実行される。
【００４４】
図１４（ａ）、図１４（ｂ１）、図１４（ｂ２）、図１４（ｃ）、図１４（ｄ）、図１４（ｅ１）、図１４（ｅ２）、図１４（ｆ１）及び図１４（ｆ２）は、本実施の形態に於ける画像信号Ｃから第１画像信号Ｈ及び第２画像信号Ｉが生成されるまでの流れを記載するための図である。
【００４５】
図１４（ａ）に示すフレーム周波数変換部３から出力された画像信号Ｃは、一方では、第１階調補正部８によって、図１４（ｂ１）に示す階調特性（特に中間階調で元の階調よりも明るく補正される）に変換され、画像信号Ｅとして高周波補正量生成部１０及び加算器１１に出力される。他方で、画像信号Ｃは、第２階調補正部９によって、図１４（ｂ２）に示す階調特性（特に中間階調で元の階調よりも暗く補正される）に変換され、画像信号Ｆとして減算器１２に出力される。図１４（ｃ）は、図１２の高周波成分検出部１４が出力した高周波成分Ｊを示しており、高周波成分検出部１４は画像信号Ｅの階調の変化部分で高周波成分を検出する。図１４（ｄ）は、図１２の負値制限部１６によって、高周波成分Ｊの負の値が制限された結果を示している。図１４（ｅ１）及び図１４（ｅ２）は、図１２の強調量生成部１５によって、負値制限部１６から出力された、負の値が制限された高周波成分Ｋの強度を調整した高周波補正量Ｇを示している。ここでは、検出した高周波成分Ｊよりも高周波補正量Ｇの方がその強度が小さくなる様に、強調量生成部１５が出力した高周波補正量Ｇは制御されている。図１４（ｆ１）は、加算器１１で画像信号Ｅと高周波補正量Ｇとを加算して得られた結果である第１画像信号Ｈを示しており、他方、図１４（ｆ２）は、減算器１２で画像信号Ｆから高周波補正量Ｇを減算して得られた結果である第２画像信号Ｉを示している。図１４（ｆ１）に示す様に、第１画像信号Ｈは、元の画像信号Ｃよりも明るく補正されており（特に低階調に於いて図６（ｅ１）の場合よりも明るく補正されている）、第２画像信号Ｉは元の画像信号Ｃよりも暗く補正されているが、この２つの画像信号Ｈ，Ｉを重ね合わせると、元の画像信号Ｃと同じ明るさが得られる。
【００４６】
本実施の形態の利点は、次の通りである。即ち、図６（ｅ１）に示した画像信号Ｈでは、輪郭部分に隣接する黒側の部分が元の画像信号Ｃよりも暗く、逆に画像信号Ｉでは輪郭部分に隣接する黒側の部分が明るく変化していたが、図１４（ｆ１）及び図１４（ｆ２）に示した第１画像信号Ｈ及び第２画像信号Ｉは、輪郭部分に隣接する黒側の部分の階調の変化が無く、より一層に動画ぼやけを軽減する様に働く。
【００４７】
以上の様に、高周波成分検出部１４が検出した高周波成分Ｊの負の値を０値に制限することで、演算量を著しく増やすこと無く、動画表示特性をより一層改善することが出来る。
【００４８】
（実施の形態３）
本実施の形態の特徴点は、第２階調補正部の出力からも第２高周波補正量を生成して生成した第２高周波補正量を減算器１２に入力する点にあり、図１を援用する。
【００４９】
図１５は、本実施の形態に係る画像表示装置７に用いられる階調処理部５の別の構成を示すブロック図である。実施の形態１及び２では、減算器１２は、高周波補正量生成部１０が出力した高周波補正量Ｇを第２階調補正部９が出力する画像信号Ｆから減算する構成を有していた。しかし、本実施の形態に係る階調処理部５は、第１高周波補正量生成部１０及び第２高周波補正量生成部１７を備える。第１高周波補正量生成部１０は、第１階調補正部８が出力する画像信号Ｅから、高周波補正量Ｇ１を生成し、高周波補正量Ｇ１を加算器１１に出力する。他方、第２高周波補正量生成部１７は、第２階調補正部９が出力する画像信号Ｆから第２高周波補正量Ｇ２を生成し、第２高周波補正量Ｇ２を減算器１２に出力する。第１及び第２高周波補正量生成部１０，１７の動作は、実施の形態１或いは実施の形態２に於いて記載した図４或いは図１２の高周波補正量生成部１０の動作と同様であるので、両部１０，１７の動作の詳細な説明を省略する。
【００５０】
次に、加算器１１は、第１階調補正部８が出力した画像信号Ｅに第１高周波補正量Ｇ１を加算した第１画像信号Ｈを画像選択部１３に出力する。他方、減算器１２は、第２階調補正部９が出力した画像信号Ｆから第２高周波補正量Ｇ２を減じた第２画像信号Ｉを画像選択部１３に出力する。
【００５１】
以降の動作については、実施の形態１の場合と同様である。
【００５２】
図１６（ａ）、図１６（ｂ１）、図１６（ｂ２）、図１６（ｃ１）、図１６（ｃ２）、図１６（ｄ１）、図１６（ｄ２）、図１６（ｅ１）及び図１６（ｅ２）は、画像信号Ｃから第１画像信号Ｈおよび第２画像信号Ｉが生成されるまでの動作を記載する図である。
【００５３】
図１６（ａ）に示すフレーム周波数変換部３から出力された画像信号Ｃは、一方では、第１階調補正部８によって図１６（ｂ１）に示す階調特性に変換され、画像信号Ｅとして第１高周波補正量生成部１０及び加算器１１に出力される。他方では、画像信号Ｃは、第２階調補正部９によって、図１６（ｂ２）に示す階調特性に変換され、画像信号Ｆとして第２高周波補正量生成部１７及び減算器１２に出力される。図１６（ｃ１）は、第１高周波補正量生成部１０の高周波成分検出部１４（図４）が出力した高周波成分Ｊ１を示しており、高周波成分検出部１４は画像信号Ｅの階調の変化部分で高周波成分Ｊ１を検出する。又、図１６（ｃ２）は、第２高周波補正量生成部１７の高周波成分検出部１４（図４）が出力した高周波成分Ｊ２を示しており、第２高周波補正量生成部１７の高周波成分検出部１４は、画像信号Ｆの階調変化部分で高周波成分Ｊ２を検出する。図１６（ｄ１）は、第１高周波補正量生成部１０が出力した第１高周波補正量Ｇ１を示す図であり、ここでは、検出した高周波成分Ｊ１よりも第１高周波補正量Ｇ１の強度が小さくなる様に、第１高周波補正量生成部１０の強調量生成部１５（図４）は制御されている。又、図１６（ｄ２）は、第２高周波補正量生成部１７が出力した第２高周波補正量Ｇ２を示しており、ここでは、検出した高周波成分Ｊ２よりも高周波補正量Ｇ２が小さくなる様に、第２高周波補正量生成部１７の強調量生成部１５（図４）は制御されている。図１６（ｅ１）は、加算器１１によって画像信号Ｅと第１高周波補正量Ｇ１とを加算して得られた結果である第１画像信号Ｈを示しており、図１６（ｅ２）は、減算器１２によって画像信号Ｆから第２高周波補正量Ｇ２を減算した結果である第２画像信号Ｉを示す図である。
【００５４】
第１階調補正部８は、中間階調を元の画像信号Ｃの階調よりも明るく補正するので、画像信号Ｅの暗部の変化が急峻になり、第２階調補正部９は、中間階調を元の画像信号Ｃの階調よりも暗く補正するので、画像信号Ｆの明部の変化が急峻になる。図１５に示す通り、画像信号Ｅと画像信号Ｆとに対してそれぞれ個別に高周波補正を行う第１及び第２高周波補正量生成部１０，１７を設けることで、画像信号Ｅ及び画像信号Ｆの各々に対応した最適な高周波補正量を得ることが出来る。
【００５５】
特に、明部の変化が急峻になった画像信号Ｆから第２高周波補正量Ｇ２を生成することで、明部の補正量が大きく、輪郭部分も急峻になるので、動画ぼやけの軽減効果が一層高まるという効果が得られる。
【００５６】
尚、実施の形態２に示した様に、第１及び第２高周波補正量生成部１０，１７の内部に負値制限部１６（図１２）を設けて、第１及び第２高周波補正量Ｇ１及びＧ２の負値を０値に制限することしても良い。この場合には、実施の形態２で記載した効果が重畳的に得られる。
【００５７】
＜変形例＞
図１５では、説明を簡単化するために、階調処理部５が第１及び第２階調補正部８，９、並びに、第１及び第２高周波補正量生成部１０，１７を備えることで、第１及び第２画像信号Ｈ及びＩを生成する構成について示したが、図１７に示す構成を有する階調処理部５を採用することでも、以下の通り、実施の形態３と同様の結果を得ることが出来る。
【００５８】
図１７の階調補正部１８は、フレーム周波数が２倍に変換された画像信号Ｃの１フレーム毎に、階調補正の特性を切り替える。例えば、１回目の画像信号Ｃの表示に於いては、図１６（ｂ１）に示す様な階調補正特性を適用し、引き続く２回目の画像信号Ｃの表示に於いては、図１６（ｂ２）に示す様な階調補正特性に切替て画像信号Ｃに対して当該階調補正特性を適用する。即ち、階調補正部１８は、図１６（ｂ１）に示す様な階調補正特性及び図１６（ｂ２）に示す様な階調補正特性の両方をルックアップテーブル値として保有している。しかも、図１７では、高周波補正量生成部１９も画像信号Ｃの１フレーム毎に高周波補正量を作成して、その極性を切り替える。例えば、階調補正部１８が図１６（ｂ１）に示す様な階調補正特性を適用した結果を出力する１回目の表示のときには、高周波補正量生成部１９は、図１６（ｄ１）に示す様な、その強度が小さく調整された第１高周波補正量に相当する高周波補正量を生成して加算器１１に出力する。これに対して、階調補正部１８が図１６（ｂ２）に示す様な階調補正特性を適用した結果を出力する画像信号Ｃの２回目の表示期間に於いては、高周波補正量生成部１９は、図１６（ｄ２）に示す様な、その強度が小さく調整された第２高周波補正量に相当する高周波補正量を生成した上で、更にその極性を反転させた高周波補正量を作成して加算器１１に出力する。その結果、加算器１１は、図１５の減算器１２と同様の動作・機能を呈する。従って、図１７の様に構成することで、階調補正部と高周波補正量生成部とをそれぞれ１つだけ設けることとすることが出来る。尚、高周波補正量生成部１９に実施の形態２の記載した負値制限部１６（図１２）を設ける場合には、先ず負値の制限を行った後に高周波補正量の極性を切り替える構成とすることは言うまでも無い。
【００５９】
以上の様に構成することで、階調処理部５の構成を簡略化することが出来る。
【００６０】
（実施の形態４）
図１８は、本実施の形態に係る画像表示装置７の構成を示すブロック図である。図１８に示す画像表示装置７では、フレーム周波数変換部２０は、既述した画像信号Ｃの他に、２種類の画像を含んだ画像信号Ｌを出力する。フレーム周波数変換部２０から出力された画像信号Ｃは、階調処理部２１に入力され、画像信号Ｌは、動画判定部２２に入力される。
【００６１】
図１９は、画像信号Ｌの一構成例を示す図である。図１９では、画像信号Ｌは、画像信号Ｂと画像信号Ｒとで構成される場合が示されている。図１９中に示した数字は、受信した画像信号Ａに対応するフレームの番号を示す。画像信号Ｂは受信した画像信号Ａに対応しており、他方の画像信号Ｒは図１８のフレームメモリ４に現時点で記憶されている画像信号Ｂを示す信号である。従って、フレーム番号が０の画像信号Ｒは、フレームメモリ４にその時点で１フレーム分の画像信号Ｂが記憶されていない状態を示している。図１９に示す通り、画像信号Ｌは、受信した画像信号Ａと同じフレーム周波数を有する連続する２つのフレームの組で構成される。この様な構成を有する画像信号Ｌが動画判定部２２に入力される。
【００６２】
図１８の動画判定部２２は、画像信号Ｌに含まれる２フレームの画像信号Ｂ，Ｒを画素毎に比較し、その差分の累計等から当該受信した画像Ａ（又はＢ）が動画像であるのか静止画像であるのかをフレーム毎に（フレーム単位で）判定し、その判定結果を示す信号Ｍを、コントローラＣＴ及び階調処理部２１に出力する。
【００６３】
図２０は、図１８の階調処理部２１の構成を示すブロック図である。動画判定部２２から出力された判定結果信号Ｍは、画像選択部２３に入力される。画像選択部２３の入力端は、加算器１１が出力した画像信号Ｈ及び減算器１２が出力した画像信号Ｉの受信に加えて、フレーム周波数変換部２０が出力した画像信号Ｃをも受信する。画像選択部２３は、受信画像Ａ（又はＢ）が静止画像であることを判定結果信号Ｍが示している場合には（そのときには、コントローラＣＴから、画像信号Ｈ及び画像信号Ｉを選択するためのセレクト信号ＳＬは出力されてはいない。）、画像信号Ｃを選択する。他方、受信画像Ａ（又はＢ）が動画像であることを判定結果信号Ｍが示す場合には（そのときには、コントローラＣＴから、セレクト信号ＳＬが出力されている。）、画像選択部２３は、そのフレームに応じて画像信号Ｈ及び画像信号Ｉの一方を選択する。画像信号Ｈ及び画像信号Ｉの選択の動作に関しては、実施の形態１で記載した選択動作と同様である。画像信号選択部２３は、判定結果信号Ｍ及びセレクト信号ＳＬのレベルに応じて選択した画像信号Ｄを、画像表示部６に出力する。
【００６４】
その他の動作については、実施の形態１で記載した動作内容と同様である。
【００６５】
以上の様に構成することで、受信画像が静止画である場合には、画像表示装置７の階調処理部２１の中で階調補正処理が行われないので、微小なフリッカーの発生及び演算誤差による微小な階調の変化を抑えることが出来る。尚、受信画像が動画である場合には、時間的に画像自体が変化しているので、微小なフリッカー及び階調の変化は問題とはならない。
【００６６】
図２１は、画像信号Ｌの他の構成例を示す図である。既述した図１９の構成例は、画像信号Ｒが、画像信号Ｂの１フレーム前の画像信号を示している場合であったが、図２１の構成例では、画像信号Ｒは、画像信号Ｂの１フレーム前の画像信号の上位ビットで構成される。例えば、画像信号が各色８ビットで構成される場合には、画像信号Ｒを画像信号Ｂの１フレーム前の画像信号の上位４ビットで構成する。このビット数は、動画判定部２２で受信画像が動画像か静止画像であるかを判定するに足りるビット数で良く、４ビット以下のビット数で画像信号Ｒを構成することも可能である。この様に構成する場合、フレームメモリ４には、予め各色の画像信号の上位ビットと下位ビットとを別々のアドレスに記憶しておき、図１８のフレーム周波数変換部２０はフレームメモリ４から上位ビットだけを読み出すことが出来る構成としておく。この様な構成とすることで、フレームメモリ４から読み出すデータの量を少なくすることが出来る。勿論、画像信号Ｃを読み出す場合には、フレーム周波数変換部２０は、別々のアドレスに記憶された上位ビットと下位ビットとの画像データを読み出して合成した後に、フレーム周波数が高められた画像信号Ｃとして出力すれば良い。
【００６７】
以上の様に画像信号Ｌを構成することで、フレームメモリ４から読み出すデータ量を削減することが出来る。
【００６８】
図２２は、画像信号Ｌの他の構成を示す図である。図２２では、画像信号Ｌは、画像信号Ｒと画像信号Ｃとで構成されており、画像信号Ｒは、フレーム周波数が２倍に変換された画像信号Ｃに対応した１フレーム前の画像信号として出力される。動画判定部Ｍは、この画像信号Ｌを受信して、前述と同様にフレーム単位で動画像か静止画像かを判定し、判定結果信号Ｍを階調処理部２１に出力する。その他の動作は、前述と同様である。
【００６９】
尚、画像信号Ｌを図２２の様に構成することで、動画判定部２２は、画素毎に画像データが変化したかどうかを判定することも可能になる。この場合、判定結果信号Ｍは、画素毎に画像データが変化したか否かを示すことになり、画像選択部２３は、判定結果信号Ｍの判定結果に基づいて、画素毎に、画像信号Ｃ、第１画像信号Ｈ及び第２画像信号Ｉを選択することが出来ることになる。以上の様に構成することで、１フレームの画像の中に静止画像の場合の処理と動画像の場合の処理とを混在させることが出来るので、判定の切り替わりに伴う画像の変化を検出しにくくなると言う利点が得られる。
【００７０】
図２３は、画像信号Ｌの他の構成を示す図である。図２３は、図２２の画像の組み合わせに対して、画像信号Ｒを上位ビットで構成した場合を示す。この場合には、動画判定部Ｍは、画像信号Ｒと画像信号Ｃとの上位ビット同士を比較して、フレーム単位、或いは、画素単位で、動画像の判定を行う。以上の様に構成することで、画素単位で動画像を判定する場合であっても、フレームメモリ４から読み出す画像データの量を削減することが出来る。
【００７１】
以上に記載した様に、外部より入力した画像を少なくとも２倍のフレーム周波数に変換し、フレーム周波数が変換された画像に対してそれぞれ特性の異なる階調補正を行った後、高周波成分を補正し、当該高周波成分が補正された少なくとも２つの画像信号の中から１画像信号を選択して表示するので、動画の画質を低下させることなく画像表示を行うことが出来る。
【００７２】
（付記）
一般的には、フレーム周波数変換部は、受信した画像信号のフレーム周波数をｋ倍（ｋは２以上の自然数）に高めて、受信画像信号の１フレーム期間中に、受信画像信号をｋ回分出力する機能を有する。又、階調処理部は、受信画像信号の１フレーム期間中に、フレーム周波数変換部より出力されるｋ回分の画像信号の各々毎に、互いに相違する階調特性に基づく階調補正を順次に行うと共に、ｋ回分の階調補正済み画像信号の各々に対して当該階調補正済み画像信号に適合する高周波成分補正を行って画像表示部に順次に出力する。そして、ｋが２である場合が、既述した実施の形態１乃至４の各々に相当する。
【００７３】
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００７４】
この発明は、例えばホールド型表示デバイス（カラーＴＶ等）に適用して好適である。
【図面の簡単な説明】
【００７５】
【図１】この発明の実施の形態１に係る画像表示装置の構成例を示すブロック図である。
【図２】階調処理部の構成例を示すブロック図である。
【図３】階調補正部の動作を示す図である。
【図４】高周波補正量生成部の構成例を示すブロック図である。
【図５】高周波補正量生成部の動作を示す図である。
【図６】階調処理部の動作を示す図である。
【図７】画像処理の動作を示す図である。
【図８】動画の視認性を説明するための図である。
【図９】動画の視認特性を示す図である。
【図１０】動画の視認特性を示す図である。
【図１１】動画の視認特性を示す図である。
【図１２】実施の形態２に係る高周波補正量生成部の構成例を示すブロック図である。
【図１３】図１２の高周波補正量生成部の動作を示す図である。
【図１４】実施の形態２に係る階調処理部の動作を示す図である。
【図１５】実施の形態３に係る階調処理部の構成例を示すブロック図である。
【図１６】実施の形態３に係る階調処理部の動作を示す図である。
【図１７】実施の形態３の変形例に係る階調処理部の構成を示すブロック図である。
【図１８】実施の形態４に係る画像表示装置の構成例を示すブロック図である。
【図１９】フレーム周波数変換部から出力された画像信号の構成を示す図である。
【図２０】実施の形態４に係る階調処理部の構成を示すブロック図である。
【図２１】フレーム周波数変換部から出力された画像信号の構成を示す図である。
【図２２】フレーム周波数変換部から出力された画像信号の構成を示す図である。
【図２３】フレーム周波数変換部から出力された画像信号の構成を示す図である。
【符号の説明】
【００７６】
１  画像発生部、２  画像受信部、３  フレーム周波数変換部、４  フレームメモリ、５  階調処理部、６  画像表示部、７  画像表示装置、８  第１階調補正部、９  第２階調補正部、１０  高周波補正量生成部、１１  加算器、１２  減算器、１３  画像選択部。
【図１】
2009053221.tif 000003
【図２】
2009053221.tif 000004
【図３】
2009053221.tif 000005
【図４】
2009053221.tif 000006
【図５】
2009053221.tif 000007
【図６】
2009053221.tif 000008
【図７】
2009053221.tif 000009
【図８】
2009053221.tif 000010
【図９】
2009053221.tif 000011
【図１０】
2009053221.tif 000012
【図１１】
2009053221.tif 000013
【図１２】
2009053221.tif 000014
【図１３】
2009053221.tif 000015
【図１４】
2009053221.tif 000016
【図１５】
2009053221.tif 000017
【図１６】
2009053221.tif 000018
【図１７】
2009053221.tif 000019
【図１８】
2009053221.tif 000020
【図１９】
2009053221.tif 000021
【図２０】
2009053221.tif 000022
【図２１】
2009053221.tif 000023
【図２２】
2009053221.tif 000024
【図２３】
2009053221.tif 000025